(57)【要約】【課題】単体で使用可能な撮影レンズ（単体撮影レンズ）を直列に接続して１つの撮影光学系を構成する複合撮影レンズの制御において、各単体撮影レンズの制御対象、例えば、フォーカス、ズーム、アイリスの位置等を、複合撮影レンズの撮影条件が目標の撮影条件となるように事前に決められた制御条件で統括制御することにより、複合撮影レンズの撮影条件を適切且つ容易に目標の撮影条件に設定することができるようにし、また、各単体撮影レンズの制御対象の制御条件を決めておくことで、結像画像にケラレ等が生じる不具合を防止するレンズ制御装置を提供する。【解決手段】２台のズームレンズを直列に接続した場合に、ＣＰＵ３５０によって、各レンズのフォーカス、ズーム、アイリスを統括制御する。【選択図】　　　図１
2004085875.tif 000002
【特許請求の範囲】
【請求項１】
カメラの撮像面に被写体像を結像する撮影光学系として単体で使用することができる複数の単体撮影レンズを直列に接続して１つの撮影光学系を構成する複合撮影レンズの制御装置であって、前記各単体撮影レンズの制御対象を制御することにより、前記複合撮影レンズの撮影条件を変更するレンズ制御装置において、
前記複合撮影レンズとしての撮影条件が目標の撮影条件となるように事前に決められた制御条件で前記各単体撮影レンズの制御対象を統括制御する制御手段を備えたことを特徴とするレンズ制御装置。
【請求項２】
前記制御手段は、前記複合撮影レンズにより結像される被写体像にケラレが生じないように前記各単体撮影レンズの制御対象を統括制御することを特徴とする請求項１のレンズ制御装置。
【請求項３】
前記複合撮影レンズとしての目標の撮影条件を前記制御手段に与えるコントローラを備えたことを特徴とする請求項１のレンズ制御装置。
【請求項４】
前記制御条件は、複合撮影レンズを構成する各単体撮影レンズの種類によって変更されることを特徴とする請求項１のレンズ駆動装置。
【発明の詳細な説明】
【０００１】
【発明の属する技術分野】
本発明はレンズ駆動装置に係り、特に複数台の単体撮影レンズを光軸に沿って直列に接続して構成される複合撮影レンズのレンズ駆動装置に関する。
【０００２】
【従来の技術】
テレビカメラ等に装着されて使用されるズーム機能付きの撮影レンズ（ズームレンズ）は、その光学系の一部を構成するバリエータレンズを動かすことにより、焦点距離を変化させてズーム倍率（画角）を変更することができるようになっている。
【０００３】
ところで近年では、最大ズーム倍率が非常に高い撮影レンズが製品化されているが、最大ズーム倍率が高くなるほど、撮影レンズが大型化すると共に、コストが高くなるのが一般的である。また、製品化されている撮影レンズの最大ズーム倍率よりも更に高倍率で撮影したい場合もある。
【０００４】
このような事情から、単体で使用可能な複数の撮影レンズ（本明細書では単体撮影レンズという）を光軸に沿って直列に接続して１つの撮影レンズ（本明細書では複合撮影レンズという）を構成し、単体撮影レンズの最大ズーム倍率以上のズーム倍率、又は、製品化されている単体撮影レンズの最大ズーム倍率以上の高ズーム倍率に設定できるようにした装置が提案されている（特願２００２−２０２９１０号）。
【０００５】
【発明が解決しようとする課題】
しかしながら、複合撮影レンズの制御において、各単体撮影レンズの撮影条件を可変するフォーカス、ズーム、アイリス等の制御対象をそれぞれ個別のコントローラ等によって個別に制御すると、複合撮影レンズを目標の撮影条件に設定することが難しく、また、結像画像にケラレ等が発生するという問題がある。
【０００６】
本発明はこのような事情に鑑みてなされたもので、複数の単体撮影レンズを直列に接続した複合撮影レンズの撮影条件を目標の撮影条件に適切且つ容易に設定できるようにし、また、撮影画像のケラレ等を防止するレンズ制御装置を提供することを目的とする。
【０００７】
【課題を解決するための手段】
前記目的を達成するために、請求項１に記載の発明は、カメラの撮像面に被写体像を結像する撮影光学系として単体で使用することができる複数の単体撮影レンズを直列に接続して１つの撮影光学系を構成する複合撮影レンズの制御装置であって、前記各単体撮影レンズの制御対象を制御することにより、前記複合撮影レンズの撮影条件を変更するレンズ制御装置において、前記複合撮影レンズとしての撮影条件が目標の撮影条件となるように事前に決められた制御条件で前記各単体撮影レンズの制御対象を統括制御する制御手段を備えたことを特徴としている。
【０００８】
また、請求項２に記載の発明は、請求項１に記載の発明において、前記制御手段は、前記複合撮影レンズにより結像される被写体像にケラレが生じないように前記各単体撮影レンズの制御対象を統括制御することを特徴としている。
【０００９】
また、請求項３に記載の発明は、請求項１に記載の発明において、前記複合撮影レンズの目標の撮影条件を前記制御手段に与えるコントローラを備えたことを特徴としている。
【００１０】
また、請求項４に記載の発明は、請求項１に記載の発明において、前記制御条件は、複合撮影レンズを構成する各単体撮影レンズの種類によって変更されることを特徴としている。
【００１１】
本発明によれば、複合撮影レンズを構成する各単体撮影レンズの制御対象、例えば、フォーカス、ズーム、アイリスの位置等を、複合撮影レンズの撮影条件が目標の撮影条件となるように事前に決められた制御条件で統括制御するようにしたため、複合撮影レンズの撮影条件を適切且つ容易に目標の撮影条件に設定することができるようになる。また、各単体撮影レンズの制御対象の制御条件を決めておくことで、結像画像にケラレ等が生じる不具合も防止できる。
【００１２】
【発明の実施の形態】
以下、添付図面に従って本発明に係るレンズ制御装置の好ましい実施の形態について詳説する。
【００１３】
図１は、本発明に係るレンズ駆動装置が適用される複合撮影レンズの一実施形態を示す構成図である。同図に示す複合撮影レンズは、テレビカメラ用の２台のズーム機能付き撮影レンズ（以下、ズームレンズ）１００Ａ、１００Ｂを光軸Ｌに沿って直列に接続したもので、ズームレンズ１００Ａとズームレンズ１００Ｂはレンズアダプタ１０によって連結されるようになっている。
【００１４】
各ズームレンズ１００Ａ、１００Ｂは、それぞれ単体でテレビカメラ２００に装着して使用することができる単体撮影レンズであり、それぞれのレンズ鏡筒１０２Ａ、１０２Ｂの後端部に設けられたバヨネット式のレンズマウント１０４Ａ、１０４Ｂをテレビカメラ２００に設けられたカメラマウント２０２に取り付けることでそれぞれ単体でテレビカメラ２００に装着することができるようになっている。
【００１５】
各ズームレンズ１００Ａ、１００Ｂのレンズ鏡筒１０２Ａ、１０２Ｂ内には、光軸Ｌに沿って前から順にフォーカスレンズ１０６Ａ、１０６Ｂ、バリエータレンズ１０８Ａ、１０８Ｂ、コンペンセータレンズ１１０Ａ、１１０Ｂ、アイリス１１２Ａ、１１２Ｂ、フロントリレー１１４Ａ、１１４Ｂ、リアリレー１１６Ａ、１１６Ｂが配置されており、図示しないフォーカス駆動手段（後述のフォーカス駆動部）でフォーカスレンズ１０６Ａ、１０６Ｂを光軸Ｌに沿って前後移動させることにより、フォーカス調整が行なわれる。また、図示しないズーム駆動手段（後述のズーム駆動部）でバリエータレンズ１０８Ａ、１０８Ｂとコンペンセータレンズ１１０Ａ、１１０Ｂを光軸Ｌに沿って前後移動させることにより、ズーミングが行われ、図示しないアイリス駆動手段（後述のアイリス駆動部）でアイリス１１２Ａ、１１２Ｂの絞り径を拡縮させることにより、アイリス調整が行われる。尚、バリエータレンズ１０８Ａとコンペンセータレンズ１１０Ａ、及び、バリエータレンズ１０８Ｂとコンペンセータレンズ１１０Ｂは、所定の位置関係で連動して移動するようになっている。
【００１６】
ズームレンズ１００Ａ、１００Ｂが装着されたテレビカメラ２００は、そのズームレンズ１００Ａ、１００Ｂを介して入射される光束を色分解プリズム２０４でＲ、Ｇ、Ｂの各色成分に分解し、３枚の撮像素子（ＣＣＤ）２０６Ｒ、２０６Ｇ、２０６Ｂに入射する。そして、各撮像素子２０６Ｒ、２０６Ｇ、２０６Ｂで光電変換された被写体像の画像信号を図示しない信号処理回路で信号処理し、ビューファインダーやビデオ信号出力端子等へ出力する。
【００１７】
レンズアダプタ１０は、ベース１２、レンズアダプタ本体１４、レンズサポータ１６で構成されている。
【００１８】
ベース１２は、板状に形成されており、このベース１２上にレンズアダプタ本体１４とレンズサポータ１６とが設けられている。
【００１９】
レンズアダプタ本体１４は、筒状に形成されており、支持ブラケット１８を介してベース１２上に水平に支持されている。このレンズアダプタ本体１４の先端部にはマウント２０が設けられており、後端部にはレンズ接合部２２が設けられている。
【００２０】
マウント２０は、テレビカメラ２００に設けられたカメラマウント２０２と同じ構成を有しており、ズームレンズ１００Ａに設けられたバヨネット方式のレンズマウント１０４Ａが着脱自在に取り付けられる。
【００２１】
一方、レンズ接合部２２は、図２に示すように、リング状に形成されており、その内周部にズームレンズ１００Ｂのレンズ鏡筒先端部が嵌入される。このレンズ接合部２２の内周にはフランジ２２Ａが形成されており、このフランジ２２Ａの端面にズームレンズ１００Ｂのレンズ鏡筒先端部が突き合わされる。
【００２２】
レンズアダプタ本体１４内には、前段のズームレンズ１００Ａから出射された光束を平行光束に戻して後段のズームレンズ１００Ｂに入射させる光学系２４が配置されている。この光学系２４は、一対の棒プリズム２６Ａ、２６Ｂとレンズ群２８とで構成されている。前段のズームレンズ１００Ａから出射した光束は、前段の棒プリズム２６Ａを介して所定の結像面Ｐ１　に結像される。そして、後段の棒プリズム２６Ｂを介してレンズ群２８に入射され、レンズ群２８で平行光束に戻される。
【００２３】
ここで、棒プリズム２６Ａは、入射される光束をテレビカメラ２００の色分解プリズム２０４と同じ位置に結像させる。すなわち、カメラマウント２０２の基準面（ここでは先端面）から光軸Ｌ上の撮像素子２０６Ｇの受光面Ｐ０までの距離（光路長）Ｄ０と、マウント２０の基準面から結像面Ｐ１までの距離（光路長）Ｄ１とが同じになるように棒プリズム２６Ａは設計されている。
【００２４】
レンズサポータ１６は、柱状に形成されており、その下端部にスライダ３０が一体的に形成されている。スライダ３０は、ベース１２に同じ幅をもって形成されたガイド溝３２内をスライド自在に支持されており、このガイド溝３２にガイドされて光軸Ｌと平行にスライドする。また、このスライダ３０には光軸Ｌと平行にナット部３４が形成されており、ナット部３４にはガイド溝３２内に配設されたネジ棒３６が螺合されている。ネジ棒３６は光軸Ｌと平行に配設されており、その両端部をベース１２に設けられた軸受３８、３８に軸支されている。また、このネジ棒３６にはツマミ４０が取り付けられており、このツマミ４０を回転させることにより、ネジ棒３６が回転する。そして、このネジ棒３６が回転することにより、スライダ３０がガイド溝３２内を光軸Ｌと平行に前後移動する。
【００２５】
一方、レンズサポータ１６の頂部には、ズームレンズ１００Ｂを水平に支持する支持部４２が一体的に形成されている。ズームレンズ１００Ｂは、この支持部４２に載置され、締結ボルト４４で支持部４２に固定される。すなわち、ズームレンズ１００Ｂのレンズ鏡筒１０２Ｂにはナット部１１８が形成されており、このナット部１１８に締結ボルト４４を螺合させることで、ズームレンズ１００Ｂが支持部４２に固定される。支持部４２に固定されたズームレンズ１００Ｂは光軸Ｌ上に配置される。
【００２６】
以上のようにレンズアダプタ１０を使用して複合撮影レンズを構成する際の手順は次のとおりである。
【００２７】
レンズアダプタ１０は、２台のズームレンズ１００Ａ、１００Ｂを光軸Ｌに沿って連結する場合に用いられ、この場合、まず、後段のズームレンズ１００Ｂをレンズアダプタ１０に装着する。
【００２８】
後段のズームレンズ１００Ｂをレンズアダプタ１０に装着する場合は、まず、後段のズームレンズ１００Ｂをレンズサポータ１６の支持部４２に載置する。そして、そのズームレンズ１００Ｂのレンズ鏡筒１０２Ｂに形成されたナット部１１８に支持部４２に形成された締結ボルト４４を螺合させる。これにより、後段のズームレンズ１００Ｂがレンズサポータ１６に取り付けられる。このとき、後段のズームレンズ１００Ｂは、その光軸がレンズアダプタ１０の光軸と同軸上に位置する。
【００２９】
後段のズームレンズ１００Ｂをレンズサポータ１６に取り付けたら、次に、ベース１２に設けられたツマミ４０を回転させ、ネジ棒３６を回転させてスライダ３０をレンズアダプタ本体１４に向けて移動させる。これにより、後段のズームレンズ１００Ｂがレンズアダプタ１０に向かって移動し、そのレンズ鏡筒１０２Ｂの先端部がレンズアダプタ１０のレンズ接合部２２に嵌入される。レンズ接合部２２に嵌入されたズームレンズ１００Ｂは、そのレンズ鏡筒１０２Ｂの先端部がレンズ接合部２２に形成されたフランジ２２Ａの端面に当接し、これにより、後段のズームレンズ１００Ｂがレンズアダプタ１０に装着される。
【００３０】
レンズアダプタ１０に装着された後段のズームレンズ１００Ｂは、フランジ２２Ａの端面に突き合わされることにより、周囲からの光が遮光された状態でレンズアダプタ１０に連結される。
【００３１】
次に、前段のズームレンズ１００Ａをレンズアダプタ１０に装着する。前段のズームレンズ１００Ａの装着は、ズームレンズ１００Ａをテレビカメラ２００のマウント２０２に装着する場合と同じである。すなわち、バヨネット式のレンズマウント１０４Ａをレンズアダプタ本体１４の先端に設けられたマウント２０に装着する。これにより、前段のズームレンズ１００Ａがレンズアダプタ１０に装着される。
【００３２】
以上により、２台のズームレンズ１００Ａ、１００Ｂが光軸Ｌに沿って連結される。連結されたズームレンズ１００Ａ、１００Ｂは、後段のズームレンズ１００Ｂのレンズマウント１０４Ｂをテレビカメラ２００に設けられたカメラマウント２０２に取り付けることにより、テレビカメラ２００に装着される。
【００３３】
以上説明したように、本実施の形態のレンズアダプタ１０を用いることにより、２台のズームレンズ１００Ａ、１００Ｂを光軸Ｌに沿って連結することができる。そして、このようにして連結された２台のズームレンズ１００Ａ、１００Ｂは、前段のズームレンズ１００Ａに入射された光束が、レンズアダプタ１０内の光学系２４によって一度結像されたのち、再び平行光束に戻されてズームレンズ１００Ｂに入射される。
【００３４】
これにより、簡単に高倍率のズームレンズを得ることができる。すなわち、たとえば、前段に２０倍のズームレンズ１００Ａを装着し、後段に１０倍のズームレンズ１００Ｂを装着することにより、最大２００倍のズームレンズを得ることができる。
【００３５】
なお、上記レンズアダプタ１０では、前段のズームレンズ１００Ａをバヨネット式のマウントで接続するようにしているが、接続部の形式はこれに限定されるものではない。同様に後段のズームレンズ１００Ｂを接合部２２に突き合せて接続しているが、これに限定されるものではない。すなわち、レンズの接続部は、既存のレンズシステムに合わせて適宜変更することが好ましく、これにより、既存のレンズシステムを有効活用することができる。
【００３６】
次に、上記複合撮影レンズを制御するレンズ制御装置について説明する。図３は、レンズ制御装置の一実施の形態を示す構成図である。同図において、構成部３００Ａは、上記ズームレンズ１００Ａの制御に関連するブロックであり、構成部３００Ｂは、上記ズームレンズ１００Ｂの制御に関連するブロックであり、レンズ制御装置にはこれらの構成部３００Ａ、３００Ｂを統括制御するＣＰＵ３５０が搭載されている。
【００３７】
各構成部３００Ａ、３００Ｂ内には、それぞれフォーカス駆動部３１０Ａ、３１０Ｂ、ズーム駆動部３１２Ａ、３１２Ｂ、アイリス駆動部３１４Ａ、３１４Ｂが示されており、例えば、フォーカス駆動部３１０Ａ、３１０Ｂには、それぞれズームレンズ１００Ａ、１００Ｂのフォーカスレンズ１０６Ａ、１０６Ｂを駆動するモータとその動力をフォーカスレンズ１０６Ａ、１０６Ｂに伝達する動力伝達機構、及び、フォーカスレンズ１０６Ａ、１０６Ｂの位置を検出する位置検出センサが含まれている。他の駆動部３１２Ａ、３１２Ｂ、３１４Ａ、３１４Ｂについても同様にレンズ又はアイリスを駆動するモータ、動力伝達機構、位置検出センサが含まれる。尚、ズーム駆動部３１２Ａ、３１２Ｂの駆動対象のレンズは、それぞれ上述のように所定の位置関係で連動するバリエータレンズ１０８Ａとコンペンセータレンズ１１０Ａ、及び、バリエータレンズ１０８Ｂとコンペンセータレンズ１１０Ｂである。
【００３８】
また、各構成部３００Ａ、３００Ｂ内は、フォーカス制御、ズーム制御、アイリス制御に関する構成に分けられており、フォーカス制御に関する構成を例に説明すると、上記フォーカス駆動部３１０Ａ、３１０Ｂの各モータは、それぞれフォーカス制御部３２０Ａ、３２０Ｂによって駆動制御され、各モータの回転速度等が制御されるようになっている。また、フォーカス駆動部３１０Ａ、３１０Ｂの各位置検出センサによって検出されたフォーカスレンズ１０６Ａ、１０６Ｂの位置情報がそれぞれフォーカス制御部３２０Ａ、３２０Ｂに与えられ、各フォーカス制御部３２０Ａ、３２０Ｂにおけるモータの駆動制御において適宜参照される。
【００３９】
各フォーカス制御部３２０Ａ、３２０Ｂには、それぞれＤ／Ａ変換器３３０Ａ、３３０ＢによってＤ／Ａ変換されたＣＰＵ３５０からの制御信号が与えられるようになっており、各フォーカス制御部３２０Ａ、３２０ＢはＣＰＵ３５０から与えられた制御信号に基づいて各フォーカス駆動部３１０Ａ、３１０Ｂのモータを駆動制御する。例えば、ＣＰＵ３５０から与えられる制御信号は、目標とするフォーカスレンズ１０６Ａ、１０６Ｂの位置や、動作速度（モータの回転速度）を指定する位置制御又は速度制御の信号であり、各フォーカス制御部３２０Ａ、３２０Ｂのモータ駆動制御によりフォーカスレンズ１０６Ａ、１０６Ｂがその制御信号により指定された位置に移動し、又は、指定された動作速度で移動する。また、各フォーカス制御部３２０Ａ、３２０ＢからＣＰＵ３５０には、Ａ／Ｄ変換器３４０Ａ、３４０ＢによってＡ／Ｄ変換されたフォーカスレンズ１０６Ａ、１０６Ｂの位置情報が与えられるようになっており、これらの位置情報は目標とするフォーカスレンズ１０６Ａ、１０６Ｂの位置や動作速度を決める際や、現在位置の表示等に適宜参照される。尚、フォーカス制御は一般に位置制御であり、その場合の具体的な制御として、ＣＰＵ３５０は、前記位置情報からフォーカスレンズ１０６Ａ、１０６Ｂの現在位置を取得し、その現在位置と目標の位置との差に対応した値を目標の動作速度とする。そして、その目標の動作速度を示す値を速度制御信号としてフォーカス制御部３２０Ａ、３２０Ｂに出力する。これによって、フォーカス駆動部３１０Ａ、３１０Ｂのモータ（フォーカスレンズ１０６Ａ、１０６Ｂ）が目標の動作速度で駆動される。ただし、この場合に限らず、ＣＰＵ３５０から目標の位置を示す値の位置制御信号をフォーカス制御部３２０Ａ、３２０Ｂに出力し、フォーカス制御部３２０Ａ、３２０Ｂにおいて上述と同様に目標の動作速度を決定してフォーカス駆動部３１０Ａ、３１０Ｂのモータをその動作速度で駆動するようにしてもよい。速度制御の場合には、ＣＰＵ３５０は、目標の動作速度を示す値の速度制御信号をフォーカス制御部３２０Ａ、３２０Ｂに出力する。
【００４０】
ズーム制御、及び、アイリス制御に関する構成もフォーカス制御に関する構成と同様であり、具体的な説明を省略すると、上記フォーカス制御部３２０Ａ、３２０Ｂに相当する処理を行うズーム制御部３２２Ａ、３２２Ｂ、及び、アイリス制御部３２４Ａ、３２４Ｂと、上記Ｄ／Ａ変換器３３０Ａ、３３０Ｂに相当する処理を行うＤ／Ａ変換器３３２Ａ、３３２Ｂ、及び、Ａ／Ｄ変換器３３４Ａ、３３４Ｂと、上記Ａ／Ｄ変換器３４０Ａ、３４０Ｂに相当する処理を行うＡ／Ｄ変換器３４２Ａ、３４２Ｂ、及び、Ａ／Ｄ変換器３４４Ａ、３４４Ｂとが設けられている。
【００４１】
一方、ＣＰＵ３５０には、例えば、マニュアル操作されるフォーカスコントローラ３５２、ズームコントローラ３５４、アイリスコントローラ３５６からそれぞれＡ／Ｄ変換器３６２、３６４、３６６を介して複合撮影レンズ全体としての目標とする撮影条件（フォーカス、ズーム、アイリスに関する位置又は動作速度）を示すフォーカス指令値、ズーム指令値、アイリス指令値が与えられるようになっている。即ち、各ズームレンズ１００Ａ、１００Ｂの個々の撮影条件に関する指令値が個別に与えられるのではなく、複合撮影レンズ全体としての撮影条件に関する指令値が各コントローラから与えられるようになっている。
【００４２】
尚、オートアイリスの場合には、テレビカメラ２００からのアイリス指令値が例えばアイリスコントローラ３５６を介してＣＰＵ３５０に与えられる。また、オートフォーカスの場合には、図示しないオートフォーカス手段により生成されたフォーカス指令値がＣＰＵ３５０に与えられる。
【００４３】
ＣＰＵ３５０は、各ズームレンズ１００Ａ、１００Ｂのフォーカス、ズーム、アイリス（上記フォーカス駆動部３１０Ａ、３１０Ｂ、ズーム駆動部３１２Ａ、３１２Ｂ、アイリス駆動部３１４Ａ、３１４Ｂの各モータ）の位置又は動作速度を制御対象として各制御対象を統括制御し、複合撮影レンズ全体としての撮影条件を上記各コントローラ３５２、３５４、３５６から与えられた各指令値による目標の撮影条件に設定する。
【００４４】
その際、ＣＰＵ３５０は、事前に決められた制御条件で各ズームレンズ１００Ａ、１００Ｂの各制御対象を制御しており、例えば、フォーカス、アイリスに関しては、ズームレンズ１００Ａのフォーカスを常に無限遠、アイリスを常に開放に固定し、ズームレンズ１００Ｂのフォーカスの位置（又は動作速度）、アイリスの位置（又は動作速度）を変更することにより、複合撮影レンズの撮影条件をフォーカスコントローラ３５２、アイリスコントローラ３５６により与えられた各指令値による目標の撮影条件に設定する。ズームに関しては、ズームレンズ１００Ａのズームを一定倍率以上に変更しないものとする一方、ズームレンズ１００Ｂのズームを全可動範囲で変更するものとし、その条件下で、例えば、いずれか一方のズームを優先的に移動させて（又は、両方のズームを同時に移動させて）、複合撮影レンズの撮影条件をズームコントローラ３５４により与えられたズーム指令値による目標の撮影条件に設定する。
【００４５】
このように各ズームレンズ１００Ａ、１００Ｂの各制御対象の制御条件を事前に決めておくことで、目標の撮影条件が与えられた場合に複合撮影レンズをその目標の撮影条件に設定することが可能となり、また、結象画像にケラレなどが発生しない適切な条件で各制御対象を制御することができるようになる。
【００４６】
ところで、適切な制御条件は、複合撮影レンズを構成する各単体撮影レンズの種類（機種）によって異なるため、図３に示すＲＯＭ３７０には、単体撮影レンズの各機種の組合せ（複合撮影レンズにおける各機種の配置も考慮される）ごとに適切な制御条件が事前に記憶されており、例えば、使用する機種の組合せをレンズ選択スイッチ３７２によって操作者が選択すると、その組合せに適した制御条件がＲＯＭ３７０からＣＰＵ３５０に読み出されて、その制御条件で各単体撮影レンズの各制御対象の制御が行われるようになっている。尚、各単体撮影レンズの機種を自動的に検出するようにしてもよい。また、撮影レンズの使用方法によっても制御条件が異なるため、使用方法を考慮した制御条件をＲＯＭ３７０に記憶させておき、操作者が所定のスイッチで使用方法を選択することによってそれに適合する制御条件で各制御対象を制御するようにしてもよい。更に、制御条件は、操作者がマニュアルで設定できるようにしてもよい。
【００４７】
また、図３に示す設定スイッチ３７４を操作することによって上述のような単体撮影レンズの機種の組合せを考慮した制御条件の設定を無効又は変更、修正することもできるようになっている。
【００４８】
以上、上記実施の形態では、２台の単体撮影レンズにより複合撮影レンズを構成した場合について説明したが、本発明は２台に限らず３台以上の複数の単体撮影レンズにより複合撮影レンズを構成した場合にも適用できる。
【００４９】
また、本発明はテレビカメラ用の複合撮影レンズに限らずスチルカメラ用の複合撮影レンズに対しても適用できる。
【００５０】
【発明の効果】
以上説明したように本発明に係るレンズ制御装置によれば、複合撮影レンズを構成する各単体撮影レンズの制御対象、例えば、フォーカス、ズーム、アイリスの位置等を、複合撮影レンズの撮影条件が目標の撮影条件となるように事前に決められた制御条件で統括制御するようにしたため、複合撮影レンズの撮影条件を適切且つ容易に目標の撮影条件に設定することができるようになる。また、各単体撮影レンズの制御対象の制御条件を決めておくことで、結像画像にケラレ等が生じる不具合も防止できる。
【図面の簡単な説明】
【図１】図１は、本発明に係るレンズ駆動装置が適用される複合撮影レンズの一実施形態を示す構成図である。
【図２】図２は、図１におけるレンズアダプタと後段のズームレンズとの接合部の構成図である。
【図３】図３は、本発明に係るレンズ制御装置の一実施の形態を示す構成図である。
【符号の説明】
Ｌ…光軸、１０…レンズアダプタ、１００Ａ、１００Ｂ…ズームレンズ、１０６Ａ、１０６Ｂ…フォーカスレンズ、１０８Ａ、１０８Ｂ…バリエータレンズ、１１０Ａ、１１０Ｂ…コンペンセータレンズ、１１２Ａ、１１２Ｂ…アイリス、２００…テレビカメラ、３００Ａ、３００Ｂ…構成部、３１０Ａ、３１０Ｂ…フォーカス駆動部、３１２Ａ、３１２Ｂ…ズーム駆動部、３１４Ａ、３１４Ｂ…アイリス駆動部、３２０Ａ、３２０Ｂ…フォーカス制御部、３２２Ａ、３２２Ｂ…ズーム制御部、３２４Ａ、３２４Ｂ…アイリス制御部、３３０Ａ、３３０Ｂ、３３２Ａ、３３２Ｂ、３３４Ａ、３３４Ｂ…Ｄ／Ａ変換器、３４０Ａ、３４０Ｂ、３４２Ａ、３４２Ｂ、３４４Ａ、３４４Ｂ…Ａ／Ｄ変換器、３５０…ＣＰＵ、３５２…フォーカスコントローラ、３５４…ズームコントローラ、３５６…アイリスコントローラ、３７０…ＲＯＭ、３７２…レンズ選択スイッチ、３７４…設定スイッチ
【図１】
2004085875.tif 000003
【図２】
2004085875.tif 000004
【図３】
2004085875.tif 000005